(57)【要約】【課題】表示装置の収納部材として金属製フレームと樹脂モールド部とをインサート射出工程で一体化した場合、長期間に亘る使用時に金属製フレームと樹脂モールド部との間で剥離が発生することを防止する表示装置及びその製造方法を提供する【解決手段】本発明の表示装置は、表示パネルと、表示パネルの外側面のうちの隣接する二つの面に位置して同じ断面を有する複数の直線部、及び複数の直線部を連結する曲率を有する曲面部を含む支持フレームと、支持フレームの複数の直線部から表示パネルの内側方向にそれぞれ伸びる複数の突出フレームと、複数の突出フレームに重畳して結合され、支持フレームの曲面部の内面に沿って位置するモールド部と、を備える。【選択図】図１
2018092173.tif 000002
【特許請求の範囲】
【請求項１】
表示パネルと、
前記表示パネルの外側面のうちの隣接する二つの面に位置して同じ断面を有する複数の直線部、及び前記複数の直線部を連結する曲率を有する曲面部を含む支持フレームと、
前記支持フレームの複数の直線部から前記表示パネルの内側方向にそれぞれ伸びる複数の突出フレームと、
前記複数の突出フレームに重畳して結合され、前記支持フレームの曲面部の内面に沿って位置するモールド部と、を備えることを特徴とする表示装置。
【請求項２】
前記支持フレームの直線部と曲面部とは、同じ断面積を有することを特徴とする請求項１に記載の表示装置。
【請求項３】
前記支持フレームの直線部と曲面部とは、一体であることを特徴とする請求項２に記載の表示装置。
【請求項４】
前記突出フレームと前記支持フレームの直線部とは、一体であることを特徴とする請求項３に記載の表示装置。
【請求項５】
前記モールド部は、前記支持フレームの曲面部の内側に接触することを特徴とする請求項３に記載の表示装置。
【請求項６】
前記支持フレーム及び前記突出フレームは、アルミニウム又はアルミニウム合金を含むことを特徴とする請求項３に記載の表示装置。
【請求項７】
前記モールド部は、ポリエチレン系、ポリメタクリル系、ポリアクリル系、ポリオレフィン系、ポリウレタン系、ポリエステル系、及びポリアミド系の少なくとも一種の樹脂を含むことを特徴とする請求項５に記載の表示装置。
【請求項８】
前記モールド部は、前記突出フレームよりも熱伝導率が低く柔軟性が優れた材料を含むことを特徴とする請求項５に記載の表示装置。
【請求項９】
前記突出フレームは、該突出フレームの延長方向に沿って配列されて該突出フレームを貫通する複数の支持ホールを含むことを特徴とする請求項３に記載の表示装置。
【請求項１０】
前記モールド部は、前記突出フレームの上面及び下面の少なくとも一面を覆い、前記支持ホールの内部を充填することを特徴とする請求項９に記載の表示装置。
【請求項１１】
前記支持ホールは、第１直径を有する第１開口部、及び前記第１直径よりも小さな第２直径を有する第２開口部を有することを特徴とする請求項１０に記載の表示装置。
【請求項１２】
前記支持ホールは、第１直径から連続的に直径が変わる開口部を有することを特徴とする請求項１０に記載の表示装置。
【請求項１３】
前記支持ホールは、内部にネジ部又は突出部の少なくとも一つを有することを特徴とする請求項１０に記載の表示装置。
【請求項１４】
前記突出フレームの上面及び下面の少なくとも一面には、結合溝部が形成されることを特徴とする請求項３に記載の表示装置。
【請求項１５】
前記モールド部は、前記結合溝部の内部を充填することを特徴とする請求項１４に記載の表示装置。
【請求項１６】
前記結合溝部は、前記突出フレームの上面及び下面の両方に形成されることを特徴とする請求項１４に記載の表示装置。
【請求項１７】
前記上面に位置する結合溝部は、前記下面に位置する結合溝部とずれるように配置されることを特徴とする請求項１６に記載の表示装置。
【請求項１８】
前記突出フレームの表面粗さは、前記支持フレームの表面粗さよりも粗いことを特徴とする請求項３に記載の表示装置。
【請求項１９】
前記モールド部の上部に位置するモールド充填部を更に含み、
前記モールド部は、前記支持フレームの曲面部の内側に接触し、
前記モールド充填部は、前記表示パネルと前記支持フレームの曲面部との間に位置することを特徴とする請求項３に記載の表示装置。
【請求項２０】
前記表示パネルは、一定曲率の角部を有し、
前記角部の曲率と前記支持フレームの曲面部の曲率とは、互いに異なることを特徴とする請求項１９に記載の表示装置。
【請求項２１】
前記モールド充填部は、前記表示パネルの角部と前記支持フレームの曲面部との間に位置することを特徴とする請求項１９に記載の表示装置。
【請求項２２】
前記モールド部と前記モールド充填部とは、一体であることを特徴とする請求項２０に記載の表示装置。
【請求項２３】
金属母体を押出しして支持フレームと突出フレームとを一体に形成する工程と、
前記支持フレームの直線部と曲面部とを区画する工程と、
前記支持フレームの曲面部に位置する突出フレームを除去する工程と、
前記支持フレームの曲面部を折り曲げる工程と、
前記支持フレーム及び突出フレームを射出金型に装着する工程と、
前記射出金型に樹脂を注入して前記突出フレームに結合されるモールド部を形成する工程と、
前記モールド部上に表示パネルを接着する工程と、を有することを特徴とする表示装置の製造方法。
【請求項２４】
前記金属母体は、アルミニウムを含む素材であることを特徴とする請求項２３に記載の表示装置の製造方法。
【請求項２５】
前記モールド部を形成する樹脂は、ポリエチレン系、ポリメタクリル系、ポリアクリル系、ポリオレフィン系、ポリウレタン系、ポリエステル系、及びポリアミド系の少なくとも一種の樹脂を含むことを特徴とする請求項２３に記載の表示装置の製造方法。
【請求項２６】
前記突出フレームの表面粗さを増加させる工程を更に含むことを特徴とする請求項２３に記載の表示装置の製造方法。
【請求項２７】
前記支持フレームの表面粗さを減少させる工程を更に含むことを特徴とする請求項２３に記載の表示装置の製造方法。
【請求項２８】
前記突出フレームに支持ホール又は結合溝部を形成する工程を更に含むことを特徴とする請求項２３に記載の表示装置の製造方法。
【請求項２９】
前記モールド部は、前記突出フレームの支持ホール又は結合溝部に充填されることを特徴とする請求項２８に記載の表示装置の製造方法。
【発明の詳細な説明】
【技術分野】
【０００１】
本発明は、表示パネルを収納するための表示装置用収納部材を備える表示装置及びその製造方法に関し、より詳細には、外部から加わる衝撃によって変形しない剛性を有する金属製フレームと、内部の駆動装置によって発生する熱が伝達されないようにする樹脂モールディング部とを一体に形成した表示装置用収納部材を有する表示装置及びその製造方法に関する。
【背景技術】
【０００２】
近年、情報化社会に時代が急発展するに従って、薄型化、軽量化、低消費電力化などの優れた特性を有するフラットパネルディスプレイ（Ｆｌａｔ  Ｐａｎｅｌ  Ｄｉｓｐｌａｙ）の必要性が高まっている。このうち、液晶表示装置（Ｌｉｑｕｉｄ  Ｃｒｔｓｔａｌ  Ｄｉｓｐｌａｙ）は、解像度、カラー表示、画質などの観点で優れており、ノートブック型ＰＣやデスクトップモニターに活発に使用されている。
【０００３】
一般的に、液晶表示装置は、電極がそれぞれ形成された二枚の基板を、二つの電極が形成された面が向き合うように配置し、二枚の基板間に液晶物質を注入した後、二つの電極に電圧を印加することによって生成される電場によって液晶分子を動かし、これによって変わる光の透過率によって画像を表現する装置である。
【０００４】
このような表示装置、特にフラットパネルディスプレイは、ＴＶやコンピュータのモニターのような大型ディスプレイ装置の外にも、携帯電話、ＰＤＡ（Ｐｅｒｓｏｎａｌ  ｄｉｇｉｔａｌ  ａｓｓｉｓｔａｎｔ）、ＰＭＰ（Ｐｏｒｔａｂｌｅ  ｍｕｌｔｉｍｅｄｉａ  ｐｌａｙｅｒ）などの携帯可能な小型ディスプレイ装置にも多く使われており、一定の映像を表示するための表示パネルがガラスのような割れやすい素材で製造されるため、外部の収納部材に表示パネルを収納することで、外部から加わる衝撃や変形力によって表示パネルが破損や変形することを防止している。
【発明の概要】
【発明が解決しようとする課題】
【０００５】
本発明は、上記従来技術に鑑みてなされたものであって、本発明の目的は、表示装置の収納部材として金属製フレームと樹脂モールド部とをインサート射出工程で一体化した場合、長期間に亘る使用時に金属製フレームと樹脂モールド部との間で剥離が発生することを防止する表示装置及びその製造方法を提供することにある。
【課題を解決するための手段】
【０００６】
上記目的を達成するためになされた本発明の一態様による表示装置は、表示パネルと、前記表示パネルの外側面のうちの隣接する二つの面に位置して同じ断面を有する複数の直線部、及び前記複数の直線部を連結する曲率を有する曲面部を含む支持フレームと、前記支持フレームの複数の直線部から前記表示パネルの内側方向にそれぞれ伸びる複数の突出フレームと、前記複数の突出フレームに重畳して結合され、前記支持フレームの曲面部の内面に沿って位置するモールド部と、を備える。
【０００７】
前記支持フレームの直線部と曲面部とは、同じ断面積を有し得る。
前記支持フレームの直線部と曲面部とは、一体であり得る。
前記突出フレームと前記支持フレームの直線部とは、一体であり得る。
前記モールド部は、前記支持フレームの曲面部の内側に接触し得る。
前記支持フレーム及び前記突出フレームは、アルミニウム又はアルミニウム合金を含み得る。
前記モールド部は、ポリエチレン系、ポリメタクリル系、ポリアクリル系、ポリオレフィン系、ポリウレタン系、ポリエステル系、及びポリアミド系の少なくとも一種の樹脂を含み得る。
前記モールド部は、前記突出フレームよりも熱伝導率が低く柔軟性が優れた材料を含み得る。
前記突出フレームは、該突出フレームの延長方向に沿って配列されて該突出フレームを貫通する複数の支持ホールを含み得る。
前記モールド部は、前記突出フレームの上面又は下面の少なくとも一面を覆い、前記支持ホールの内部を充填し得る。
前記支持ホールは、第１直径を有する第１開口部、及び前記第１直径よりも小さな第２直径を有する第２開口部を有し得る。
前記支持ホールは、第１直径から連続的に直径が変わる開口部を有し得る。
前記支持ホールは、内部にネジ部又は突出部の少なくとも一つを有し得る。
前記突出フレームの上面及び下面の少なくとも一面には、結合溝部含が形成され得る。
前記モールド部は、前記結合溝部の内部を充填し得る。
前記結合溝部は、前記突出フレームの上面及び下面の両方に形成され得る。
前記上面に位置する結合溝部は、前記下面に位置する結合溝部とずれるように配置され得る。
前記突出フレームの表面粗さは、前記支持フレームの表面粗さよりも粗くあり得る。
前記表示装置は、前記モールド部の上部に位置するモールド充填部を更に含み、前記モールド部は、前記支持フレームの曲面部の内側に接触し、前記モールド充填部は、前記表示パネルと前記支持フレームの曲面部との間に位置し得る。
前記表示パネルは、一定曲率の角部を有し、前記角部の曲率と前記支持フレームの曲面部の曲率とは、互いに異なり得る。
前記モールド充填部は、前記表示パネルの角部と前記支持フレームの曲面部との間に位置し得る。
前記モールド部と前記モールド充填部とは、一体であり得る。
【０００８】
上記目的を達成するためになされた本発明の一態様による表示装置の製造方法は、金属母体を押出しして支持フレームと突出フレームとを一体に形成する工程と、前記支持フレームの直線部と曲面部とを区画する工程と、前記支持フレームの曲面部に位置する突出フレームを除去する工程と、前記支持フレームの曲面部を折り曲げる工程と、前記支持フレーム及び突出フレームを射出金型に装着する工程と、前記射出金型に樹脂を注入して前記突出フレームに結合されるモールド部を形成する工程と、前記モールド部上に表示パネルを接着する工程と、を有する。
【０００９】
前記金属母体は、アルミニウムを含む素材であり得る。
前記モールド部を形成する樹脂は、ポリエチレン系、ポリメタクリル系、ポリアクリル系、ポリオレフィン系、ポリウレタン系、ポリエステル系、及びポリアミド系の少なくとも一種の樹脂を含み得る。
前記突出フレームの表面粗さを増加させる工程を更に含み得る。
前記支持フレームの表面粗さを減少させる工程を更に含み得る。
前記突出フレームに支持ホール又は結合溝部を形成する工程を更に含み得る。
前記モールド部は、前記突出フレームの支持ホール又は結合溝部に充填され得る。
【発明の効果】
【００１０】
本発明によれば、押出し工程によって一体に形成された支持フレーム及び突出フレームにおいて、突出フレームが除去された領域の支持フレームを折り曲げ、突出フレームにモールド部をインサート射出して一体に形成する場合に、突出フレームに支持ホールを設けることによって、金属製フレームと樹脂モールド部との間の剥離が発生しない中間フレームを提供することができる。
【図面の簡単な説明】
【００１１】
【図１】本発明の一実施形態による表示装置を概略的に示した分解斜視図である。
【図２】本発明の一実施形態による中間フレームの一部を示す斜視図である。
【図３】本発明の一実施形態によるモールド部の斜視図である。
【図４】本発明の一実施形態による中間フレームの斜視図である。
【図５】本発明の一実施形態による中間フレーム母体の製作工程図である。
【図６】本発明の一実施形態による中間フレーム母体の斜視図である。
【図７】本発明の一実施形態による突出フレームの一部が除去された中間フレーム母体の斜視図である。
【図８】本発明の一実施形態による支持ホールが形成された中間フレーム母体の斜視図である。
【図９】本発明の一実施形態による支持フレーム及び突出フレームの斜視図である。
【図１０ａ】突出フレームとモールド部とを結合する射出工程の模式図である。
【図１０ｂ】突出フレームとモールド部とを結合する射出工程の模式図である。
【図１０ｃ】突出フレームとモールド部とを結合する射出工程の模式図である。
【図１０ｄ】突出フレームとモールド部とを結合する射出工程の模式図である。
【図１１】本発明の一実施形態による突出フレームの支持ホールの第１例の断面図である。
【図１２】本発明の一実施形態による突出フレームとモールド部との第２例の結合構造の断面図である。
【図１３】本発明の一実施形態による突出フレームとモールド部との第３例の結合構造の断面図である。
【図１４】本発明の一実施形態による突出フレームとモールド部との第４例の結合構造の断面図である。
【図１５】本発明の他の実施形態による支持フレームの一例の斜視図である。
【図１６】本発明の他の実施形態による支持フレームの他の例の斜視図である。
【図１７】本発明の更に他の実施形態による支持フレームの一例の断面図である。
【図１８】本発明の更に他の実施形態による支持フレームの他の例の断面図である。
【図１９ａ】本発明の他の実施形態による支持フレーム及びモールド部の斜視図である。
【図１９ｂ】図１９ａのモールド部の部分拡大図である。
【発明を実施するための形態】
【００１２】
以下、本発明を実施するための形態の具体例を、図面を参照しながら詳細に説明する。
【００１３】
本発明は、多様な変更が可能であり、様々な形態に実施され得るが、特定の実施形態のみを図面に例示し、詳細な説明ではこれを中心に説明する。しかし、本発明の範囲は、特定の実施形態に限定されるものではなく、本発明の思想及び技術範囲に含まれる全ての変更、均等物、又は代替物は、本発明の範囲に含まれるものと理解しなければならない。
【００１４】
本明細書で、ある部分が他の部分に連結されると言う場合、これは直接的に連結される場合だけではなく、その中間に更に他の素子を挟んで電気的に連結される場合も含む。また、ある部分がある構成要素を含むという場合、これは特に反対する記載がない限り、他の構成要素を排除するものではなく、他の構成要素を更に含み得ることを意味する。
【００１５】
本明細書で、第１、第２、第３などの用語は多様な構成要素を説明するために使われるが、このような構成要素は上記用語に限定されるものではない。上記用語は一構成要素を他の構成要素と区別する目的で使われる。例えば、本発明の権利範囲から逸脱しない範疇内で、第１構成要素が第２又は第３構成要素などと名付けられ、同様に第２又は第３構成要素も同様に名付けられる。
【００１６】
本発明を明確に説明するために、説明に関係ない部分は省略し、明細書全般に亘って同一又は類似の構成要素に対しては同じ参照符号を付ける。
【００１７】
以下、図面に示した本発明の実施形態に基づいて本発明の構成及び作用を詳細に説明する。
【００１８】
図１は、本発明の一実施形態による表示装置を概略的に示した分解斜視図である。
【００１９】
本実施形態の表示装置は、映像を表示する表示パネル２００、表示パネル２００に光を提供するバックライトアセンブリー４００、及び表示パネル２００が装着される中間フレーム３００を含む。
【００２０】
表示パネル２００は映像を表示する。本発明において、表示パネル２００は液晶表示パネルである場合を例として説明する。
【００２１】
表示パネル２００は互いに平行な２対の辺を有する基板で構成される。また、表示パネル２００は、互いに平行な一対の長辺と一対の短辺を有し、長辺と短辺とが互いに会う位置は曲面部が形成されたラウンド形構造である。
【００２２】
表示パネル２００は、第１基板２１０、第１基板２１０に対向する第２基板２２０、及び第１基板２１０と第２基板２２０との間に形成された液晶層（図示せず）を含む。表示パネル２００は、平面上で見ると、映像が表示される表示部（図示せず）と、表示部を取り囲んで映像が表示されない非表示部（図示せず）とからなる。非表示部は上部フレーム１００によって遮られる。
【００２３】
一方、表示パネル２００は中間フレーム３００と接着層（図示せず）を介して固定されて支持される。
【００２４】
表示パネル２００の第１基板２１０は、多数の画素電極（図示せず）、及び画素電極に一対一で対応して電気的に連結された多数の薄膜トランジスタ（図示せず）を含む。薄膜トランジスタのソース電極にデータラインが連結され、ゲート電極にゲートラインが連結され、ドレイン電極に画素電極が連結される。各薄膜トランジスタは、対応する画素電極側に提供される駆動信号をスイッチングする。また、第２基板２２０は、画素電極と共に液晶の配列を制御する電界を形成する共通電極（図示せず）を含む。表示パネル２００は、液晶層を駆動して前方に映像を表示する役目をする。
【００２５】
表示パネル２００は、駆動信号を提供する駆動チップ（図示せず）、駆動チップが実装された駆動チップ実装フィルム（図示せず）、及び駆動チップ実装フィルムを介して表示パネル２００に電気的に連結されたプリント基板（図示せず）を含む。駆動チップ実装フィルムは、フレキシブルプリント基板（Ｆｌｅｘｉｂｌｅ  Ｐｒｉｎｔｅｄ  Ｃｉｒｃｕｉｔ  Ｂｏａｒｄ、ＦＰＣＢ）である。
【００２６】
駆動チップは、外部信号に応じて表示パネル２００を駆動するための駆動信号を発生する。外部信号はプリント基板から供給される信号であり、外部信号は、映像信号、各種制御信号、及び駆動電圧などを含む。
【００２７】
中間フレーム３００は、下部フレーム４４０に結合されて表示パネル２００の下部を支持し、側面を保護する。中間フレーム３００は、表示パネル２００の長辺及び短辺に平行に配置された直線部と直線部を連結する曲面部とを有する支持フレーム３１０、支持フレーム３１０の直線部から表示パネル２００の内側方向に伸びて突出する突出フレーム３２０、及び突出フレーム３２０と表示パネル２００との間に介在して突出フレーム３２０と一体に結合されるモールド部３３０を含む。支持フレーム３１０及び突出フレーム３２０は、ねじれを防止すると共に表示パネル２００の破損を防止するために適切な強度を有する金属素材で形成され、モールド部３３０は、表示パネル２００に伝達される衝撃を吸収し、熱伝逹を防止するプラスチックのような高分子樹脂で形成される。中間フレーム３００は、表示パネル２００の４面に対向するように配置され得、駆動部領域を除いた３面に対向して配置され得る。或いは、２面に対向する中間フレームを互いに連結して使うことも可能である。本実施形態では、図示するように、３面に対向する中間フレーム３００の長辺方向に対向する一つの直線部と短辺方向に対向する平行な二つの直線部とから構成される。また、直線部は直線部間に位置する曲面部によって互いに連結され、曲面部の曲率は表示パネル２００のラウンド部の曲率に対応する。
【００２８】
バックライトアセンブリー４００は、光学シート４１０、導光板４２０、反射シート４３０、下部フレーム４４０、及び光源ユニット４５０を含む。
【００２９】
光学シート４１０は、導光板４２０の上部に配置され、導光板４２０から伝達される光を拡散し集光する役目をする。光学シート４１０は、拡散シート、プリズムシート、保護シートなどの複数の光学シートを含む。
【００３０】
導光板４２０は、光源４５１から放出された光を入光側面で受けて出光面に出射する。導光板４２０は、光源ユニット４５０から受けた光を表示パネル２００に均一に供給する。導光板４２０は主に基板形態で用いられるが、薄型化のためにフィルム形態の導光板が使われ得る。
【００３１】
反射シート４３０は、導光板４２０と下部フレーム４４０との間に配置され、導光板４２０の下方に放出される光を表示パネル２００に向かうように反射させて光の効率を向上させる。
【００３２】
反射シート４３０は、例えばポリエチレンテレフタレート（ＰＥＴ：ＰｏｌｙＥｔｈｙｌｅｎｅ  Ｔｅｒｅｐｈｔｈａｌａｔｅ）からなって反射性を有し、その一側表面は、例えば二酸化チタンを含む拡散層でコートされる。
【００３３】
下部フレーム４４０は反射シート４３０及び導光板４２０を収納する。下部フレーム４４０は、例えばステンレススチールのような剛性を有する金属素材、或いはアルミニウム又はアルミニウム合金のように放熱特性に優れた素材からなる。
【００３４】
図２は、本発明の一実施形態による中間フレームの一部を示す斜視図である。
【００３５】
図２は中間フレーム３００（図１参照）におけるコーナー部に位置する支持フレーム３１０及び突出フレーム３２０を示す。支持フレーム３１０は表示パネル２００（図１参照）の外側ラインに対応する形状を有し、支持フレーム３１０の内側に表示パネル２００が位置する。支持フレーム３１０は、表示パネル２００の長辺方向に沿って伸びる第１直線部３１１、短辺方向に沿って伸びて互いに向き合う一対の第２直線部３１３、及び第１直線部３１１と第２直線部３１３とを連結して曲面状に形成された曲面部３１２を含む。曲面部３１２は表示パネル２００の曲率を有する角部に対応する曲率で形成される。
【００３６】
突出フレーム３２０は、支持フレーム３１０の第１直線部３１１の内側に沿って伸びて帯状に突出した第１突出フレーム３２１と、第２直線部３１３の内側に沿って伸びて帯状に突出した第２突出フレーム３２２とを含んでなる。第１突出フレーム３２１及び第２突出フレーム３２２は表示パネル２００が装着される上面と反対側に下面とを有する。突出フレーム３２０の下部には光学シート４１０が位置し、上部には表示パネル２００が位置する。突出フレーム３２０は表示パネル２００の非表示領域よりも小さい長さで突出して、表示パネル２００の表示領域に入射する光学シート４１０の光を遮断しない。
【００３７】
突出フレーム３２０には複数の支持ホール３４０が配列され、支持ホール３４０は突出フレーム３２０を上面から下面まで貫通する。複数の支持ホール３４０は、突出フレーム３２０の延長方向に沿って離隔して配列され、後述するモールド部３３０と突出フレーム３２０との間の結合構造を堅牢にする役目をする。
【００３８】
支持フレーム３１０及び突出フレーム３２０は、表示パネル２００を堅固に支持するために、アルミニウム（Ａｌ）のような金属又は金属合金で製作される。また、支持フレーム３１０及び突出フレーム３２０は押出し工程によって一体の金属部材で形成される。
【００３９】
突出フレーム３２０は、支持フレーム３１０の直線部（３１１、３１３）領域に位置し、曲面部３１２領域には位置しない。
【００４０】
図３は、本発明の一実施形態によるモールド部の斜視図であり、図４は、本発明の一実施形態による中間フレームの斜視図である。
【００４１】
図３及び図４を参照すると、モールド部３３０は、支持フレーム３１０の内側に位置し、突出フレーム３２０（図２参照）の上部で突出フレーム３２０に結合される。モールド部３３０は、表示パネル２００（図１参照）の下部を支持し、接着層を介して表示パネル２００を固定する。モールド部３３０と表示パネル２００との間には接着層（図示せず）が介在する。
【００４２】
モールド部３３０は、突出フレーム３２０よりも熱伝導度が低く柔軟性に優れた材料で形成される。モールド部３３０は、突出フレーム３２０から表示パネル２００に伝達される衝撃を一部吸収し、駆動チップなどで発生した高熱が金属製突出フレーム３２０を介して伝達されることを防止する。
【００４３】
モールド部３３０は、金属製の突出フレーム３２０とは異なる素材からなるが、突出フレーム３２０に堅固に結合される。より具体的に、モールド部３３０は、金属部材に熱可塑性樹脂組成物を射出して結合するインサート射出方式で突出フレーム３２０に結合される。
【００４４】
熱可塑性樹脂組成物としては、例えばポリオレフィン系樹脂、ポリメタクリル酸メチル樹脂などのポリメタクリル系樹脂、ポリアクリル酸メチル樹脂などのポリアクリル系樹脂、ポリスチレン樹脂、ポリビニルアルコール−ポリ塩化ビニル共重合体樹脂、ポリビニルアセタール樹脂、ポリビニルブチラール樹脂、ポリビニルホルマール樹脂、ポリメチルペンテン樹脂、無水マレイン酸−スチレン共重合体樹脂、ポリカーボネート樹脂、ポリフェニレンエーテル樹脂、ポリエーテルエーテルケトン樹脂、ポリエーテルケトン樹脂などの芳香族ポリエーテルケトン、ポリエステル系樹脂、ポリアミド系樹脂、ポリアミドイミド樹脂、ポリイミド樹脂、ポリエーテルイミド樹脂、スチレン系エラストマー、ポリオレフィン系エラストマー、ポリウレタン系エラストマー、ポリエステル系エラストマー、ポリアミド系エラストマー、イオノマー、アミノポリアクリルアミド樹脂、イソブチレン無水マレイン酸共重合体、ＡＢＳ、ＡＣＳ、ＡＥＳ、ＡＳ、ＡＳＡ、ＭＢＳ、エチレン−塩化ビニル共重合体、エチレン−アセト酸ビニル共重合体、エチレン−アセト酸ビニル−塩化ビニルグラフト重合体、エチレン−ビニルアルコール共重合体、塩素化ポリ塩化ビニル樹脂、塩素化ポリエチレン樹脂、塩素化ポリプロピレン樹脂、カルボキシビニル重合体、ケトン樹脂、非晶質性コポリエステル樹脂、ノルボルネン樹脂、フッ素プラスチック、ポリテトラフルオロエチレン樹脂、フッ素化エチレンポリプロピレン樹脂、ＰＦＡ、ポリクロロフルオロエチレン樹脂、エチレンテトラフルオロエチレン共重合体、ポリフッ化ビニリデン樹脂、ポリフッ化ビニル樹脂、ポリアリレート樹脂、熱可塑性ポリイミド樹脂、ポリ塩化ビニリデン樹脂、ポリ塩化ビニル樹脂、ポリアセト酸ビニル樹脂、ポリスルホン樹脂、ポリパラメチレンスチレン樹脂、ポリアリールアミン樹脂、ポリビニルエーテル樹脂、ポリフェニレンオキシド樹脂、ポリフェニレンスルフィド（ＰＰＳ）樹脂、ポリメチルペンテン樹脂、オリゴエステルアクリレート、キシレン樹脂、マレイン酸樹脂、ポリヒドロキシブチレート樹脂、ポリスルホン樹脂、ポリ乳酸樹脂、ポリグルタミン酸樹脂、ポリカプロラクトン樹脂、ポリエーテルスルホン樹脂、ポリアクリロニトリル樹脂、スチレン−アクリロニトリル共重合体樹脂などが挙げられる。これら熱可塑性樹脂は１種を単独で使っても良く、２種以上を組み合わせて使っても良い。また、機械的強度、耐熱性、密着性、電気的性質などを考慮して、補助添加剤を付け加えることもできる。
【００４５】
モールド部３３０は、突出フレーム３２０に形成された支持ホール３４０の内部を充填する結合突起３３１を更に含む。結合突起３３１は、射出工程でモールド部３３０の一部領域が支持ホール３４０に充填されることによって形成される。本実施形態において、細長形の結合突起３３１を示しているが、支持ホール３４０の形状によって、内部に充填される結合突起３３１の形態は多様に変更される。
【００４６】
図５は、本発明の一実施形態による中間フレーム母体の製作工程図であり、図６は、本発明の一実施形態による中間フレーム母体の斜視図である。
【００４７】
図５を参照すると、本発明の中間フレーム３００を形成する中間フレーム母体３１は押出し工程で形成される。
【００４８】
押出し方式は、一般的にアルミニウムのような金属素材から一定断面形状を有する構造物を同時に製造する工程方式である。押出し方式には主にアルミニウム合金が使われ、一般的にアルミニウムビレット３０を押出機２０に装入し、熱と圧力を加えることで、ノズルを通じて押し出す。押出しされたアルミニウム構造体は一定の断面形態に製造され、材料の機械的性質を満たすための後工程として熱処理工程を進行する。
【００４９】
一般的に、アルミニウム合金は、混合される金属の種類及び量によって１０００系〜８０００系に分類される。純度９９．０％以上の純粋アルミニウム（Ａｌ）である１０００系、アルミニウム（Ａｌ）と銅（Ｃｕ）の合金系である２０００系、アルミニウム（Ａｌ）とマンガン（Ｍｎ）の合金系である３０００系、アルミニウム（Ａｌ）と珪素（Ｓｉ）の合金系である４０００系、アルミニウム（Ａｌ）とマグネシウム（Ｍｇ）の合金系である５０００系、アルミニウム（Ａｌ）とマグネシウム（Ｍｇ）及び珪素（Ｓｉ）の合金系である６０００系、アルミニウム（Ａｌ）と亜鉛（Ｚｎ）及びマグネシウム（Ｍｇ）の合金系である７０００系、アルミニウム（Ａｌ）とその他の元素の合金系である８０００系などに分類される。
【００５０】
中間フレーム母体３１を押出し方式で製作すると、工程コストが低く、剛性に優れたフレーム構造を成形することができる。一方、押出し方式は、射出又はプレス方式に比べて、固定された断面構造によって自由な形状に成形しにくい。
【００５１】
図６を参照すると、中間フレーム母体３１は押出し方式で形成され、断面の形態及び面積が一定した直線バー形状である。
【００５２】
中間フレーム母体３１を折り曲げて‘コ’字の構造にすると中間フレーム３００のような構造になる。しかし、中間フレーム母体３１を折り曲げて曲面部３１２を成形する場合、折り曲げられる領域に位置する突出部３２によって曲げ剛性が高く折り曲げられない。
【００５３】
図７は、本発明の一実施形態による突出部の一部が除去された中間フレーム母体の斜視図である。
【００５４】
図７を参照すると、中間フレーム母体３１の支持フレーム３１０は、成形された形状を基準に直線部（３１１、３１３）と曲面部３１２との領域に区画される。
【００５５】
直線部（３１１、３１３）は表示パネル２００の長辺又は短辺に対応する領域であり、曲面部３１２は表示パネル２００の曲率を有する角部に対応する領域である。
【００５６】
支持フレーム３１０を容易に折り曲げるために、曲面部３１２に対応する領域に位置する突出部は除去される。除去された突出部を基準に第１突出フレーム３２１及び第２突出フレーム３２２は互いに分離される。
【００５７】
突出部を除去する方法としては、メタルソーイング、ワイヤカッティング、レーザーカッティング、ウォータージェットカッティングなどの方法が用いられる。
【００５８】
メタルソーイング電動ソーを用いて切削する方法は、回転式又は垂直移動式の鋸刃を適用して加工物を切削する。ワイヤカッティングは、強い張力をかけたワイヤと加工物の間に放電を引き起こして加工する技術であり、高精度で切削することができる利点がある。レーザーカッティングは、可動対象物にレーザービームを適用して加工物を加熱溶融した後、高圧のガスを用いて溶融物を吹き出す切断法である。レーザービームは数百マイクロメートルの焦点サイズで照射されて加工物を溶かし、レーザービームと同軸方向に強く照射される酸素又は窒素ガスを用いて切断する。ウォータージェットカッティングは、高圧ポンプによって圧縮された高圧の水を微細な直径のウォーターノズルを通じて噴出させて加工物を切断する方法である。ウォータージェットカッティングの際、純粋な水を噴射する方式と研磨剤を含む水を噴射する方式のいずれも可能である。
【００５９】
中間フレーム母体３１から突出部が除去された領域には支持フレーム３１０のみが残る。突出フレーム３２０は、折曲マージン及び折曲工程の容易性のために、曲面部３１２に対応する領域を含めて、隣接する直線部（３１１、３１３）に対応する突出フレーム３２０の一部も除去される。
【００６０】
図８は、本発明の一実施形態による支持ホールが形成された中間フレーム母体の斜視図である。
【００６１】
支持ホール３４０は、突出フレーム（３２１、３２２）の延長方向に沿って配列されて突出フレーム（３２１、３２２）を貫通する。支持ホール３４０は、樹脂で形成されるモールド部３３０と金属で形成された突出フレーム３２０の結合強度を高めるために形成される。支持ホール３４０は、内部空間に充填されたモールド部３３０の結合突起３３１と結合して、モールド部３３０と突出フレーム３２０との結合強度を高める。例えば、図１４に示すように、支持ホール３４０が、突出フレーム３２０の上面に第１直径を有する第１開口部３４４ａが形成され、下面に第１直径よりも大きな直径を有する第２開口部３４４ｂを有する場合、第２開口部３４４ｂの内部を充填した結合突起３３４は、第１開口部３４４ａを通過することによって突出フレーム３２０から分離されることができない。このような構造的形態によってモールド部３３０と突出フレーム３２０とは互いに堅固な締結状態を維持する。
【００６２】
支持ホール３４０のサイズ及び支持ホール３４０の配列位置は、パネルのサイズ、突出フレーム３２０の面積及び剛性などによって自由に変更される。支持ホール３４０の多様な実施構造は後述する。
【００６３】
支持ホール３４０は、一般的にエンドミル（図示せず）によって加工される。エンドミルは、回転式切削加工工具であり、周囲と端部の両方に切削刃を備えるため、ホールの形成やホールの側面部の加工が可能である。支持ホール３４０は、一般的な金属加工法によって形成される。
【００６４】
図９は、本発明の一実施形態による支持フレーム３１０及び突出フレーム３２０の斜視図である。
【００６５】
図９は中間フレーム母体３１を折り曲げて形成された支持フレーム３１０及び突出フレーム３２０の斜視図である。突出フレーム３２０が除去された支持フレーム３１０の曲面部３１２は、内側方向に折曲可能であって表示パネル２００の外周面形状に対応するように成形される。支持フレーム３１０の曲面部３１２は表示パネル２００のコーナー部の曲率に対応する曲率を有する。曲面部３１２は、折曲によって一部断面の構造の変形があり得るが、直線部（３１１、３１３）の断面と実質的に同一の断面積を有する。
【００６６】
図９は表示パネル２００の３辺を取り囲む支持フレーム３１０を示す。支持フレーム３１０は、第１直線部３１１、互いに平行に対向する第２直線部３１３、及び第１直線部３１１と第２直線部３１３とを連結する曲面部３１２を含む。
【００６７】
図１０ａ〜図１０ｄは、突出フレームとモールド部とを結合する射出工程の模式図である。
【００６８】
金属で形成された突出フレーム３２０に樹脂で形成されるモールド部３３０を射出により結合して成形することを異種射出法又はインサート射出法と言う。
【００６９】
図１０ａは射出金型機に装着される前の前処理工程を示す。
【００７０】
前処理工程は粗さ工程及び洗浄工程を含む。
【００７１】
一般的に、加工されたアルミニウム合金の表面には、異物の付着や、酸化膜、水酸化物などの被膜が形成されることがある。洗浄工程はこのような異物や被膜を除去する工程である。
【００７２】
粗さ工程は、主に洗浄工程前に実行され、突出フレーム３２０の表面粗さを確保する工程である。突出フレーム３２０の表面粗さは、サンドブラスト加工、ショットブラスト加工、研削加工、バレル加工などの機械研磨、又は化学研磨による表面層の研磨によって調節される。
【００７３】
サンドブラスト加工は、研磨剤が収容されたタンクを加圧した後、高圧エアで研磨剤を直接ノズルに送り、ノズルから噴射された微細な研磨剤で表面を処理する技術であり、研磨剤のサイズ及び噴射圧力によって多様な表面処理が可能である。
【００７４】
ショットブラスト加工は、ショット又はグリット（ｇｒｉｔ）という金属、非金属の微細な粒子を加工対象物の表面に直接噴射する方法である。
【００７５】
研削加工は、回転する粗い表面を有する研削機で加工対象物の表面を加工する方法である。研削機の粗い程度によって粗度を調節することができる。
【００７６】
機械研磨とは異なり、化学研磨は、エッチング剤を使って表面を粗さ処理する工程である。一般的に、アルカリ系エッチング剤を使うか、アルカリ系エッチング剤と酸系エッチング剤とを併用するか、又は酸系エッチング剤で処理した後にアルカリ系溶液で洗浄することが可能である。
【００７７】
アルカリ系エッチング剤は、金属部材との反応が活発ではなく、金属部材の表面に微細な粗さを形成するのに適する。一方、酸系エッチング剤は、金属部材との反応が活発であって短時間に粗さ処理が可能な利点がある。
【００７８】
粗さ処理された突出フレーム３２０は、表面に形成された微細なくぼみ部を有する。後述する射出工程で流動性の樹脂が表面のくぼみ部内に含浸されることにより、硬化後にモールド部３３０の表面と金属製突出フレーム３２０の表面とが互いに堅固に結合される。
【００７９】
図１０ｂは前処理された支持フレーム３１０及び突出フレーム３２０を射出機４０の金型に装着する工程である。インサート射出は、内蔵された射出金型と金属製突出フレーム３２０及び支持フレーム３１０とが結合されて単一金型により構成される。金型によって形成された空間は形成しようとするモールド部３３０の形状に対応する。
【００８０】
図１０ｃは突出フレーム３２０に重畳して結合されるモールド部３３０を射出して形成する工程である。
【００８１】
突出フレーム３２０を射出機４０の金型に固定した状態で、射出機４０の内部にはモールド部３３０に対応する領域の空間が存在する。流動性の熱可塑性樹脂を金型の内部に射出すると、空間は射出された熱可塑性樹脂で充填される。充填が完了した後、熱可塑性樹脂を硬化してモールド部３３０を形成する。硬化した状態で、モールド部３３０と突出フレーム３２０とは堅固に接合された構造物を形成する。
【００８２】
射出成形時の金型温度、射出ノズル温度は、熱可塑性樹脂の種類によって異なるが、一般的に１２０℃〜１５０℃で接合される。一方、射出成形の温度が高温の場合、射出工程中に高温状態で金型に装着された金属製の突出フレーム３２０は熱膨脹した状態を維持する。射出工程後に冷却した突出フレーム３２０の収縮程度と樹脂モールド部３３０の収縮程度の差によって、一体化した結合面で剥離が発生することもある。
【００８３】
インサート射出における異種素材間の剥離を防止するために、本実施形態による突出フレーム３２０は複数の支持ホール３４０を備える。モールド部３３０は、射出工程中に突出フレーム３２０の支持ホール３４０の内部空間に全て充填されることにより、突出フレーム３２０とモールド部３３０とが剥離されて離隔することを防止する。
【００８４】
図１０ｄは突出フレーム３２０に結合されたモールド部３３０の斜視図である。
【００８５】
図１０ｄを参照すると、中間フレーム３００は、支持フレーム３１０と、支持フレーム３１０の内側に位置し、支持フレーム３１０から伸びた第１突出フレーム３２１及び第２突出フレーム３２２の上部に位置して突出フレーム３２０に接合されたモールド部３３０とを含む。
【００８６】
図１１は、本発明の一実施形態による突出フレーム３２０の支持ホールの第１例の断面図である。
【００８７】
図１１を参照すると、突出フレーム３２０に位置する支持ホール３４１は、表示パネル２００に対向する上面に位置する上側開口部３４１ａと、反対面に位置する下側開口部３４１ｂとを有する。上側開口部３４１ａは小直径の円形構造であり、下側開口部３４１ｂは上側開口部に対して同軸上に位置し、より大きな直径を有する円形構造である。
【００８８】
射出されたモールド部３３０は突出フレーム３２０の上部及び端部を覆い、結合突起３３１は突出フレーム３２０の支持ホール３４１の内部を充填する。モールド部３３０は突出フレーム３２０に接触する面を介して結合される。しかし、インサート構造で形成された構造体を長時間使用する場合、異なる材料の特性によって界面での結合力が弱化して離隔することがある。例えば、高温環境と低温環境が繰り返される場合、材料間の熱膨脹差によって界面での結合力が弱化することがある。
【００８９】
界面の結合力が弱化してモールド部３３０と突出フレーム３２０との間の剥離が発生すると、モールド部３３０が突出フレーム３２０から離隔し、モールド部３３０と共に表示パネル２００が中間フレーム３００から分離される。
【００９０】
図１１に示した支持ホール３４１は、第１開口部３４１ａと、第１開口部３４１ａよりも大きな直径の第２開口部３４１ｂとを有する。モールド部３３０の結合突起３３１は、第１開口部３４１ａ及び第２開口部３４１ｂの両者を充填することによって形成される。モールド部３３０と突出フレーム３２０との間の界面で剥離が発生しても、第２開口部３４１ｂを充填した結合突起３３１は第１開口部３４１ａを通過することができないため、モールド部３３０は突出フレーム３２０から分離されない。
【００９１】
図１２は、本発明の一実施形態による突出フレームとモールド部との結合構造の第２例の断面図である。
【００９２】
図１２を参照すると、突出フレーム３２０に位置する支持ホール３４２は、表示パネル２００に対向する上面に位置する第１開口部３４２ａと、反対面に位置する第２開口部３４２ｂとを有する。支持ホール３４２の第１開口部及び第２開口部は同一直径で形成されるが、支持ホール３４２の内部にネジ部３４２ｃが形成される。ネジ部３４２ｃの回転方向は右側方向及び左側方向のいずれの方向であってもよい。ネジ部３４２ｃは一般的に使用する雌ネジ形成用タップ工具で加工することができる。
【００９３】
支持ホール３４２に形成されたネジ部３４２ｃは、モールド部３３０の結合突起３３２と堅固に結合して、モールド部３３０が突出フレーム３２０から離隔しないように固定する。
【００９４】
図１３は、本発明の一実施形態による突出フレーム３２０とモールド部との第３例の結合構造の断面図である。
【００９５】
図１３を参照すると、突出フレーム３２０に位置する支持ホール３４３は、表示パネル２００に対向する上面に位置する第１開口部３４３ａと、反対面に位置する第２開口部３４３ｂとを有する。支持ホール３４３は内部に支持ホール３４３の内周面から突出した突出リング３４３ｃを含む。突出リング３４３ｃは第１開口部３４３ａと第２開口部３４３ｂとの内部空間を区画し、支持ホール３４３に充填された結合突起３３３を固定する。
【００９６】
図１３では加工が容易な一つの突出リング３４３ｃを例示したが、突出フレーム３２０の厚さ及び強度に応じて複数の突出リング３４３ｃが形成される。また、突出リング３４３ｃは真円形である必要はなく、円弧状を有することも可能である。
【００９７】
図１４は、本発明の一実施形態による突出フレーム３２０とモールド部との第４例の結合構造の断面図である。
【００９８】
図１４を参照すると、突出フレーム３２０に位置する支持ホール３４４は、表示パネル２００に対向する上面に位置する第１開口部３４４ａと、反対面に位置する第２開口部３４４ｂとを有する。支持ホール３４４は第１開口部から第２開口部３４４ｂまで連続して直径が増加する円錐台状である。支持ホール３４４の内部には結合突起３３４が充填される。
【００９９】
円錐台状の支持ホール３４４は突出フレーム３２０とモールド部３３０とを堅固に結合し、使用中にモールド部３３０が突出フレーム３２０から離隔しないように固定する。
【０１００】
図１５は、本発明の他の実施形態による支持フレームの一例の斜視図である。
【０１０１】
図１５を参照すると、突出フレーム３２０の上部又は下部に結合溝部３５０が配列される。結合溝部３５０は突出フレーム３２０の端部から支持フレーム３１０の方向に伸びる。
【０１０２】
結合溝部３５０は突出フレーム３２０の表面積を増加させて結合力を増加させる。また、高温環境で金属の突出フレーム３２０が突出フレーム３２０の延長方向に沿って膨脹する場合、結合溝部３５０に充填された結合突起（図示せず）が突出フレーム３２０の膨脹を抑制することにより、モールド部３３０と突出フレーム３２０とが互いに剥離されることを防止する。
【０１０３】
結合溝部３５０が突出フレーム３２０の上面及び下面に互いに同一位置に配置される場合、突出フレーム３２０の厚さが薄い部分が発生して構造的に突出フレーム３２０の剛性が弱くなる。従って、結合溝部３５０は突出フレーム３２０の上面及び下面で交互にずれた配列を有することが好ましい。
【０１０４】
結合溝部３５０の深さは突出フレーム３２０の厚さの１／２以下であることが好ましいが、突出フレーム３２０の素材の強度によって１／２以上の深さを有することもできる。
【０１０５】
図１６は、本発明の他の実施形態による支持フレームの他の例の斜視図である。
【０１０６】
図１６を参照すると、突出フレーム３２０は上部又は下部に位置する結合溝部３５１を含む。射出工程中に突出フレーム３２０の上部に位置するモールド部３３０は結合溝部３５１の内部空間に充填される。
【０１０７】
結合溝部３５１は突出フレーム３２０の表面積を増加させて結合力を増加させる。また、高温環境で金属の突出フレーム３２０が突出フレーム３２０の延長方向に沿って膨脹する場合、結合溝部３５１に充填されたモールド部３３０が突出フレーム３２０の膨脹を抑制することにより、モールド部３３０と突出フレーム３２０とが互いに剥離されることを防止する。
【０１０８】
図１６は円形構造の結合溝部３５１を示しているが、結合溝部３５１は、楕円形、角形などの多様な形態を有することができる。また、結合溝部３５１は、図示するように、ジグザグ状に配列されるか、一列又は２列で配列される。
【０１０９】
図１７は、本発明の更に他の実施形態による突出フレームの一例の断面図である。
【０１１０】
図１７を参照すると、突出フレーム３２０は、モールド部３３０に接触する接触面に形成された微細溝部３２５を含む。突出フレーム３２０の表面に形成された微細溝部３２５は、射出工程中にモールド部３３０によって内部空間が充填されてモールド部３３０との結合力を向上させる。
【０１１１】
突出フレーム３２０の表面に微細溝部３２５を形成する方法としては、サンドブラスト法、酸処理法、研磨法などが可能である。
【０１１２】
サンドブラスト法は、研磨剤が収容されたタンクを加圧させた後、高圧エアで研磨剤を直接ノズルに送り、ノズルから噴射された微細な研磨剤で表面を処理する技術であり、研磨剤のサイズ及び噴射圧力によって多様な表面処理が可能である。
【０１１３】
或いは、化学研磨法で表面に粗さ処理を実施することもできる。化学的処理法は、一般的に、アルカリ系エッチング剤を使うか、アルカリ系エッチング剤と酸系エッチング剤とを併用するか、又は酸系エッチング剤で処理した後にアルカリ系溶液で洗浄することが可能である。
【０１１４】
一般的に、物理的方法よりは化学的方法を用いて微細溝部３２５を形成することが結合力の確保にもっと有利であるが、物理的方法及び化学的方法を一緒に適用して表面を処理することも可能である。
【０１１５】
一方、支持フレーム３１０は、表示装置のデザインに応じて上面部３１５又は表示パネル２００に対向しない側面部３１６の一部が外部に露出する。
【０１１６】
押出し工程によって形成された支持フレーム３１０の表面処理は、突出フレーム３２０の表面処理と同時に行われる。或いは、支持フレーム３１０はモールド部３３０の形成後に個別的に表面処理される。
【０１１７】
一般的に、突出フレーム３２０の表面処理は、モールド部３３０との結合を強くするために表面の粗さを増加させるように微細くぼみ部を形成することが目的である一方、支持フレーム３１０の表面処理は、外観を美麗にするための目的であり、主に表面粗さを減らして光沢を出すために用いられる。
【０１１８】
支持フレーム３１０の表面を美麗にする表面処理としては、研磨処理、パターン形成処理、サンドブラスト処理などがある。
【０１１９】
研磨処理は、金属表面を研磨石とコンパウンドなどを用いて滑らかに加工する方法で、主に光沢を出す場合に用いられる。
【０１２０】
パターン形成処理は、金属表面にブラシ又はサンドペーパーなどを用いて一定に形成されたパターンを加工する方法であり、無光状態の表面処理に用いられ、主にヘアラインなどの表面効果を出す場合に用いられる。
【０１２１】
サンドブラスト処理は、微細な研磨剤を金属表面に噴射して表面を処理する技術であり、無光のアルミニウムの感じを与える場合に用いられる。
【０１２２】
図１８は、本発明の更に他の実施形態による支持フレームの他の例の断面図である。
【０１２３】
図１８を参照すると、モールド部３３０は、突出フレーム３２０の上面、下面、及び端面を全てカバーする。また、モールド部３３０の結合突起３３５は突出フレーム３２０の支持ホール３４５の内部を充填する。結合突起３３５は、支持ホール３４５の上側開口部及び下側開口部を貫通し、上面及び下面に位置するモールド部３３０に連結される。
【０１２４】
モールド部３３０は、支持ホール３４５を貫通して一体に形成されるため、突出フレーム３２０と堅固に結合される。
【０１２５】
図１９ａは、本発明の他の実施形態による支持フレーム及びモールド部の斜視図であり、図１９ｂは、図１９ａのモールド部の部分拡大図である。
【０１２６】
図１９ａ及び図１９ｂを参照すると、表示パネル２００は四角形の第１基板２１０と第２基板２２０とで構成され、表示パネル２００の角部は直角に形成される。
【０１２７】
中間フレーム３００は、支持フレーム３１０、突出フレーム３２０、モールド部３３０、及びモールド部３３０の上部に位置するモールド充填部３６０を含む。
【０１２８】
表示パネル２００はモールド部３３０及びモールド充填部３６０によって形成された凹形の内部空間に装着される。モールド充填部３６０は表示パネル２００の外側面に沿って表示パネル２００を取り囲む。従って、モールド充填部３６０は表示パネル２００の縁部に沿って同じ形状に形成される。モールド充填部３６０の内側一面は表示パネル２００の角部のように直角に形成される。モールド充填部３６０は表示パネル２００に向き合う面に対して反対の面で支持フレーム３１０の内側面に向き合う。モールド充填部３６０の外側一面は支持フレーム３１０の曲率と同一の曲率で形成される。モールド充填部３６０は、同一高さで曲面を有する支持フレーム３１０と、直角の角部を有する表示パネル２００との両者に対向する。モールド充填部３６０は、押出しで形成され、曲率を有する支持フレーム３１０の内側面に曲率の異なる表示パネル２００が装着される場合、表示パネル２００の縁部と支持フレーム３１０の内側面の間に空間が生じないようにする。図１９ａ及び図１９ｂでは方形の表示パネル２００を例として示したが、ラウンド形の表示パネル２００において、表示パネル２００の曲率と支持フレーム３１０の曲率が互いに一致しない場合にもモールド充填部３６０を使って表示パネル２００を装着することができる。また、モールド充填部３６０は射出工程によってモールド部３３０と一体に形成することもできる。
【０１２９】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【０１３０】
２０    押出機
３０    アルミニウムビレット
３１    中間フレーム母体
３２    突出部
４０    射出機
１００    上部フレーム
２００    表示パネル
２１０    第１基板
２２０    第２基板
３００    中間フレーム
３１０    支持フレーム
３１１    第１直線部
３１２    曲面部
３１３    第２直線部
３１５    上面部
３１６    側面部
３２０    突出フレーム
３２１    第１突出フレーム
３２２    第２突出フレーム
３２５    微細溝部
３３０    モールド部
３３１、３３２、３３３、３３４、３３５    結合突起
３４０、３４１、３４２、３４３、３４４、３４５    支持ホール
３４１ａ    上側開口部
３４１ｂ    下側開口部
３４２ａ、３４３ａ、３４４ａ    第１開口部
３４２ｂ、３４３ｂ、３４４ｂ    第２開口部
３４２ｃ    ネジ部
３４３ｃ    突出リング
３５０、３５１    結合溝部
３６０    モールド充填部
４００    バックライトアセンブリー
４１０    光学シート
４２０    導光板
４３０    反射シート
４４０    下部フレーム
４５０    光源ユニット
４５１    光源
【図１】
2018092173.tif 000003
【図２】
2018092173.tif 000004
【図３】
2018092173.tif 000005
【図４】
2018092173.tif 000006
【図５】
2018092173.tif 000007
【図６】
2018092173.tif 000008
【図７】
2018092173.tif 000009
【図８】
2018092173.tif 000010
【図９】
2018092173.tif 000011
【図１０ａ】
2018092173.tif 000012
【図１０ｂ】
2018092173.tif 000013
【図１０ｃ】
2018092173.tif 000014
【図１０ｄ】
2018092173.tif 000015
【図１１】
2018092173.tif 000016
【図１２】
2018092173.tif 000017
【図１３】
2018092173.tif 000018
【図１４】
2018092173.tif 000019
【図１５】
2018092173.tif 000020
【図１６】
2018092173.tif 000021
【図１７】
2018092173.tif 000022
【図１８】
2018092173.tif 000023
【図１９ａ】
2018092173.tif 000024
【図１９ｂ】
2018092173.tif 000025